(57)【要約】      （修正有）【課題】  携帯機器と据置型機器との連携を高め、これにより操作性を向上させることが可能となる放送番組視聴装置、放送番組記録再生装置、放送番組視聴・記録・再生システム、放送番組視聴方法およびプログラムを提供する。【解決手段】  携帯機器４は、放送番組視聴（録画）中に、電源スイッチがオフ操作されたかどうかを判断し（手順Ａ１）、電源スイッチがオフ操作されると、携帯機器４は、携帯電話中継局１１００、データサーバ１２００、ネットワーク端末１３００、ネットワーク回線１４００およびネットワーク端末３を介して、据置型録画機１に視聴中の放送番組の録画開始指示を通知する（手順Ａ２）。この録画開始指示を受信すると、据置型録画機１は、指示された内容に基づいて放送番組の録画を開始する（手順Ａ３）。【選択図】    図５
2007013295.tif 000002
【特許請求の範囲】
【請求項１】
放送番組を視聴する視聴手段と、
前記放送番組を記録するとともに、該記録した放送番組を再生する外部の放送番組記録再生装置に当該放送番組の記録開始を指示する指示情報を送信する第１の送信手段と、
前記視聴手段による放送番組の視聴を中断するときに、その中断点を示す栞情報を前記外部の放送番組記録再生装置に送信する第２の送信手段と
を有することを特徴とする放送番組視聴装置。
【請求項２】
前記第１の送信手段は、前記視聴手段による放送番組の視聴を中断するときに、前記指示情報を前記外部の放送番組記録再生装置に送信することを特徴とする請求項１に記載の放送番組視聴装置。
【請求項３】
前記第１の送信手段は、前記視聴手段によって放送番組の視聴を開始するときに、前記指示情報を前記外部の放送番組記録再生装置に送信することを特徴とする請求項１に記載の放送番組視聴装置。
【請求項４】
当該放送番組視聴装置に電源を供給するバッテリと、
該バッテリの残量を検出する検出手段と
をさらに有し、
前記第１の送信手段は、前記検出手段によってバッテリの残量が低下したことが検出されたときに、前記指示情報を前記外部の放送番組記録再生装置に送信することを特徴とする請求項１に記載の放送番組視聴装置。
【請求項５】
前記視聴手段による放送番組の視聴を中断するときとは、当該放送番組視聴装置の電源をオフするときである請求項１〜４のいずれかに記載の放送番組視聴装置。
【請求項６】
放送番組を視聴する視聴手段と、
前記放送番組を記録するとともに、該記録した放送番組を再生する外部の放送番組記録再生装置に当該放送番組の記録開始を指示する指示情報を送信する送信手段と、
当該放送番組視聴装置に電源を供給するバッテリと、
該バッテリの残量を検出する検出手段と
を有し、
前記送信手段は、前記検出手段によってバッテリの残量が低下したことが検出されたときに、前記指示情報を前記外部の放送番組記録再生装置に送信することを特徴とする放送番組視聴装置。
【請求項７】
放送番組を記録するとともに、該記録した放送番組を再生する記録再生手段と、
放送番組の記録開始を指示する指示情報を受信する第１の受信手段と、
放送番組の視聴を中断したときの中断点を示す栞情報を受信する第２の受信手段と
を有し、
前記記録再生手段は、前記第１の受信手段によって受信した指示情報に応じて放送番組を記録するとともに、前記第２の受信手段によって受信した栞情報が示す中断点を基準に当該放送番組の再生を開始することを特徴とする放送番組記録再生装置。
【請求項８】
請求項１に記載の放送番組視聴装置と、請求項７に記載の放送番組記録再生装置とからなることを特徴とする放送番組視聴・記録・再生システム。
【請求項９】
前記放送番組視聴装置および放送番組記録再生装置のうち、一方は携帯機器であり、他方は据置機器であることを特徴とする請求項８に記載の放送番組視聴・記録・再生システム。
【請求項１０】
放送番組を視聴する視聴ステップと、
前記放送番組を記録するとともに、該記録した放送番組を再生する外部の放送番組記録再生装置に当該放送番組の記録開始を指示する指示情報を送信する第１の送信ステップと、
前記視聴ステップによる放送番組の視聴を中断するときに、その中断点を示す栞情報を前記外部の放送番組記録再生装置に送信する第２の送信ステップと
を有することを特徴とする放送番組視聴方法。
【請求項１１】
放送番組を視聴する視聴ステップと、
前記放送番組を記録するとともに、該記録した放送番組を再生する外部の放送番組記録再生装置に当該放送番組の記録開始を指示する指示情報を送信する送信ステップと、
当該放送番組視聴装置に電源を供給するバッテリと、
該バッテリの残量を検出する検出ステップと
を有し、
前記送信ステップでは、前記検出ステップによってバッテリの残量が低下したことが検出されたときに、前記指示情報を前記外部の放送番組記録再生装置に送信することを特徴とする放送番組視聴方法。
【請求項１２】
請求項１０または１１に記載の放送番組視聴方法を、コンピュータに実行させるためのプログラム。
【請求項１３】
請求項１２に記載のプログラムを格納した、コンピュータ読み取り可能な記憶媒体。
【発明の詳細な説明】
【技術分野】
【０００１】
本発明は、放送番組の視聴と記録再生を連携して行う放送番組視聴装置、放送番組記録再生装置、放送番組視聴・記録・再生システム、放送番組視聴方法およびプログラムに関する。
【背景技術】
【０００２】
外出先から放送番組の予約録画を行い、帰宅後にその録画内容を視聴するシステムが現在提供されている。この予約システムでは、たとえば、携帯電話等の携帯機器を用いて、予約内容を電子メールで自宅のＨＤＤ（ハードディスクドライブ）録画機器等へ通知する。一般的に、電子メールは、一旦予約管理用のサーバへ蓄積され、ＨＤＤ録画機器が、ネットワーク経由で定期的にサーバへアクセスして、予約指示が出ているかどうかを確認する。そして、予約指示が出ていれば、ＨＤＤ録画機器は、その予約指示に従って予約設定を行うようになっている（たとえば、特許文献１を参照）。
【０００３】
また、携帯電話等の携帯機器によって放送番組の視聴が可能なシステムも提供されている。このような携帯機器での放送番組の視聴では、時間と場所に束縛されずに、放送番組の動画像情報や音声情報を入手できるということが大きな魅力となっている。
【特許文献１】特開２００４−１８６７２０号公報
【発明の開示】
【発明が解決しようとする課題】
【０００４】
しかし、上記従来の放送番組の視聴が可能なシステムでは、携帯機器と自宅に据え置かれた録画機器との連携が十分でないために、携帯機器で視聴している放送番組を据置型録画機器で録画したい場合でも、据置型録画機器に対して、携帯機器から予約録画の設定を行う必要があり、また、携帯機器で視聴している放送番組の続きを据置型録画機器で視聴する場合でも、録画した放送番組の頭だしを行う必要があった。
【０００５】
たとえば、帰宅時に、電車の中で携帯機器を用いてテレビ番組を視聴していた場合、電車が最寄駅に到着したり、携帯機器のバッテリ残量が少なくなったりすると、一時テレビ番組の視聴を中断し、帰宅後に一時中断していたテレビ番組の視聴を再開することになる。この場合、携帯機器に備えられた表示器は画面サイズが小さく、動画の駒落ちも発生し易いので、帰宅後は携帯機器ではなく据置型機器を用いてより高画質の画像での視聴を行なうことになる。したがって、携帯機器で視聴していたテレビ番組を据置型録画機器でも録画しておく必要がある。そして、据置型録画機器で長時間に亘り録画された番組の中から、携帯機器で視聴を一時中断した場所を探し出して続きを視聴することは、非常に手間の掛かることであった。
【０００６】
別の例として、朝の出勤時に、家庭で据置型機器を用いてテレビ番組を視聴していた場合、出勤時間になると、駅まで歩いて移動する時間、一時テレビ番組の視聴を中断し、駅で電車に乗ってから、一時中断したテレビ番組の視聴を再開することになる。出勤前には、携帯機器ではなく据置型機器を用いてより高画質の画像で視聴するので、据置型機器で視聴していた番組を携帯機器でも録画しておく必要がある。しかし、携帯機器で長時間に亘り録画されたテレビ番組の中から、据置機器で視聴を一時中断した場所を探し出すことは、非常に手間の掛かることであった。
【０００７】
もちろん、携帯機器あるいは据置型機器での視聴を一時中断した後、改めて据置機器あるいは携帯機器での視聴を新たに開始すれば、予約録画の設定や録画した番組の頭出し等の操作を必要としなくなるが、この場合は、改めてテレビ番組のチャンネルを再設定する必要があり、さらには、一時中断した部分のテレビ番組視聴が欠落してしまう。
【０００８】
本発明は、この点に着目してなされたものであり、携帯機器と据置型機器との連携を高め、これにより操作性を向上させることが可能となる放送番組視聴装置、放送番組記録再生装置、放送番組視聴・記録・再生システム、放送番組視聴方法およびプログラムを提供することを目的とする。
【課題を解決するための手段】
【０００９】
上記目的を達成するため、請求項１に記載の放送番組視聴装置は、放送番組を視聴する視聴手段と、前記放送番組を記録するとともに、該記録した放送番組を再生する外部の放送番組記録再生装置に当該放送番組の記録開始を指示する指示情報を送信する第１の送信手段と、前記視聴手段による放送番組の視聴を中断するときに、その中断点を示す栞情報を前記外部の放送番組記録再生装置に送信する第２の送信手段とを有することを特徴とする。
【００１０】
上記目的を達成するため、請求項６に記載の放送番組視聴装置は、放送番組を視聴する視聴手段と、前記放送番組を記録するとともに、該記録した放送番組を再生する外部の放送番組記録再生装置に当該放送番組の記録開始を指示する指示情報を送信する送信手段と、当該放送番組視聴装置に電源を供給するバッテリと、該バッテリの残量を検出する検出手段とを有し、前記送信手段は、前記検出手段によってバッテリの残量が低下したことが検出されたときに、前記指示情報を前記外部の放送番組記録再生装置に送信することを特徴とする。
【００１１】
上記目的を達成するため、請求項７に記載の放送番組記録再生装置は、放送番組を記録するとともに、該記録した放送番組を再生する記録再生手段と、放送番組の記録開始を指示する指示情報を受信する第１の受信手段と、放送番組の視聴を中断したときの中断点を示す栞情報を受信する第２の受信手段とを有し、前記記録再生手段は、前記第１の受信手段によって受信した指示情報に応じて放送番組を記録するとともに、前記第２の受信手段によって受信した栞情報が示す中断点を基準に当該放送番組の再生を開始することを特徴とする。
【００１２】
上記目的を達成するため、請求項８に記載の放送番組視聴・記録・再生システムは、請求項１に記載の放送番組視聴装置と、請求項７に記載の放送番組記録再生装置とからなることを特徴とする。
【００１３】
上記目的を達成するため、請求項１０に記載の放送番組視聴方法は、放送番組を視聴する視聴ステップと、前記放送番組を記録するとともに、該記録した放送番組を再生する外部の放送番組記録再生装置に当該放送番組の記録開始を指示する指示情報を送信する第１の送信ステップと、前記視聴ステップによる放送番組の視聴を中断するときに、その中断点を示す栞情報を前記外部の放送番組記録再生装置に送信する第２の送信ステップとを有することを特徴とする。
【００１４】
上記目的を達成するため、請求項１１に記載の放送番組視聴方法は、放送番組を視聴する視聴ステップと、前記放送番組を記録するとともに、該記録した放送番組を再生する外部の放送番組記録再生装置に当該放送番組の記録開始を指示する指示情報を送信する送信ステップと、当該放送番組視聴装置に電源を供給するバッテリと、該バッテリの残量を検出する検出ステップとを有し、前記送信ステップでは、前記検出ステップによってバッテリの残量が低下したことが検出されたときに、前記指示情報を前記外部の放送番組記録再生装置に送信することを特徴とする。
【発明の効果】
【００１５】
本発明によれば、携帯機器と据置型機器との連携を高め、これにより、システム全体の操作性を向上させたので、ユーザの手間を大幅に削減することができる。
【発明を実施するための最良の形態】
【００１６】
以下、本発明の実施の形態を図面に基づいて詳細に説明する。
【００１７】
（第１の実施の形態）
まず、本発明の第１の実施の形態に係る放送番組視聴・記録・再生システムについて説明する。
【００１８】
（全体システムの構成）
図１は、本実施の形態の放送番組視聴・記録・再生システムのシステム構成を示す図である。
【００１９】
同図に示すように、本実施の形態の放送番組視聴・記録・再生システムは、地上波デジタルテレビ放送番組を視聴・記録・再生するシステムであり、主として、高画質録画を行う据置型記録機１と、放送番組を視聴可能な携帯機器４とによって構成されている。
【００２０】
放送局で生成された送信用デジタル映像・音声のデータストリーム（符号列）は、放送用アンテナ１０００を通して送信される。この放送波の１チャネル分の周波数帯域を“１３”に分割し（各分割領域を「セグメント」と称する）、その内の１２セグメントを用いてＨＤ−ＴＶ（高精細テレビで、約６０フィールド）方式の映像情報を伝送し、残りの１セグメントを用いてＱＶＧＡ（Quarter Video Graphics Array：３２０×２４０画素）相当で１５ｆｐｓ（フレーム毎秒）のレートの簡易動画像情報を伝送する。
【００２１】
１２セグメントを用いたＨＤ−ＴＶ情報は、受信アンテナ２を通じて、据置型録画機１へ伝達され、記録される。
【００２２】
１セグメントを用いたＱＶＧＡ情報は、携帯機器４によって受信され、動画像情報に復元される。復元された動画像情報のうち、映像情報は、携帯機器４に備えられた表示器によって表示され、音声情報は、同様に携帯機器４に備えられたスピーカまたは、ヘッドフォンジャック経由で外部のヘッドフォンによって再生される。映像・音声情報等は、必要に応じて、交換可能なメモリカード５へ記録される。
【００２３】
ここで、携帯機器４の備える無線公衆回線を用いた通信機能を利用し、携帯機器４の視聴状況をネットワーク経由で据置型録画機１へ送信する場合は、次の動作となる。
【００２４】
まず、携帯機器４の電子メール機能を用いて、視聴状況を携帯電話中継局１１００へ送信する。
【００２５】
この携帯電話中継局１１００は、該当するデータをデータサーバ１２００へ転送し、データサーバ１２００は、このデータを一時格納する。
【００２６】
データサーバ１２００は、この一時格納されたデータを読み出し、ネットワーク端末１３００を通じて、ＴＣＰ／ＩＰ（Transmission Control Protocol/Internet Protocol）等の汎用プロトコルを用い、インターネット等のネットワーク回線１４００を経由して、据置型録画機１側のネットワーク端末３へ転送する。
【００２７】
なお、据置型録画機１が携帯電話方式の無線通信機能を有していると、通信路に起因する記録動作遅延量を小さく抑えることができる。
【００２８】
一方、据置型録画機１の備える通信機能を利用し、据置型録画機１の視聴状況をネットワーク経由で無線公衆回線を用いて携帯機器４へ送信する場合は、次の動作となる。
【００２９】
まず、据置型録画機１側のネットワーク端末３は、その視聴状況を、ＴＣＰ／ＩＰ等の汎用プロトコルを用い、インターネット等のネットワーク回線１４００を経由して、データサーバ１２００に送信する。
【００３０】
データサーバ１２００は、送信されてきた視聴状況を一時格納した後、その視聴状況を読み出し、携帯電話中継局１１００を通じて、携帯機器４の電子メール機能を用いて、携帯機器４に転送する。
【００３１】
なお、据置型録画機１が携帯電話方式の無線通信機能を有していると、通信路に起因する記録動作遅延量を小さく抑えることができる。
【００３２】
（番組放送システムの構成）
図２は、番組放送システムのシステム構成を示す図である。
【００３３】
放送局で制作したＨＤ−ＴＶ番組情報は、ＭＰＥＧ（Moving Picture Experts Group）−２エンコーダ１０１とダウンコンバータ１０４へ供給される。
【００３４】
ＭＰＥＧ−２エンコーダ１０１に供給されたＨＤ−ＴＶ番組情報は、ＭＰＥＧ−２エンコーダ１０１により、いわゆるＭＰＥＧ−２  ＴＳ（トランスポート・ストリーム）に変換され、変調器１０２により、固定受信用の電波送信に適した信号に変調された後、送信器１０３へ供給される。
【００３５】
一方、ダウンコンバータ１０４に供給されたＨＤ−ＴＶ番組情報は、ダウンコンバータ１０４により、ＱＶＧＡ並みの情報に変換される。ＱＶＧＡ並みの情報とは、画素平面空間で、３２０×２４０画素へ縮小処理され、時間軸では、１５ｆｐｓ（毎秒フレーム）に駒落ちした簡易動画に間引き処理されたものである。この簡易化されたＱＶＧＡ相当の画像情報は、ＭＰＥＧ−４エンコーダ１０５により、いわゆるＭＰＥＧ−４データストリームに変換され、変調器１０６により、移動あるいは携帯受信用の電波送信に適した信号に変調された後、送信器１０３へ供給さる。そして、送信器１０３は、変調器１０６からの出力信号を、変調器１０２からの出力信号と同期を取りながら、送信アンテナ１０００からテレビ放送波として送信する。
【００３６】
（携帯機器４の構成）
図３は、携帯機器４の構成を示すブロック図である。
【００３７】
同図に示すように、携帯機器４は、デジタルテレビ情報を受信・視聴・記録できるＴＶブロック４１と、通話・データ通信等の一般的な携帯電話機能を有する通信機ブロック４２と、両ブロック４１および４２に共通のシステム制御を行い、ユーザインターフェイスを提供する共通ブロック４３とによって構成されている。
【００３８】
まず、通信機ブロック４２について説明する。
【００３９】
受信時、通信用の電波を受信するためのアンテナ４２１によって受信された信号は、送受信機４２２へ供給され、復変調器４２３によって通信データ列へ変換される。このデータ列中の音声データは、音声用（ＡＵＤＩＯ）ＣＯＤＥＣ（エンコーダとデコーダの複合機能ユニット）４２４によってデコード（復号）され、音声信号へ変換される。音声データ以外は、後述のシステム制御部４３１へ供給される。音声データ以外のデータには、電子メール等の文字キャラクタデータや、イラストや自然画像（静止画、動画）等の画像データ、その他の通信に関する状態を示すステータスデータや制御データ等が含まれる。前記復号された音声信号は、アナログ音声信号であり、このアナログ音声信号は、音声信号増幅器（パワーアンプ）４２８によって増幅され、スピーカ４２７によって音響に変換される。
【００４０】
送信時、話者の声は、マイク４２５によって音響から電気信号に変換され、マイクアンプ４２６によって、音声用ＣＯＤＥＣ４２４の入力部のＡ／Ｄ（Analog-to-Digital）変換器（不図示）で処理できる信号レベルまで増幅され、音声用ＣＯＤＥＣ４２４によって、デジタルデータ圧縮を伴うエンコード処理がなされる。このエンコードされたデジタルデータは、前記システム制御部４３１から出力された音声データ以外のデータと合体され、この合体されたデータは、復変調器４２３によって変調され、送信器４２２によってアンテナ４２１から送信電波として放出される。
【００４１】
次に、ＴＶブロック４１について説明する。
【００４２】
放送波は、アンテナ４１１によって受信され、テレビチューナ４１２によって所望の放送チャネルの情報信号が選択・抽出され、復調器４１３によって、ＭＰＥＧ−４データストリームへ復調される。
【００４３】
このデータストリームは、ＭＰＥＧ−４デコーダ４１４によって、ＱＶＧＡ相当の解像度で、約１５ｆｐｓの時間分解能の画像品質の動画情報へデコードされ、共通ブロック４３の表示器４３２へ供給され、動画像として表示される。
【００４４】
また、ユーザは、必要に応じて、共通ブロック４３の操作部４３３を操作することで、システム制御部４３１から指示データが生成され、これにより、記録部４１５は、前記ＭＰＥＧ−４データストリームをメモリカード５へ格納（記録）する。なお、システム制御部４３１は、このとき、コピー管理情報を参照し、記録が許可されているかどうかを確認する。
【００４５】
次に、共通ブロック４３について説明する。
【００４６】
共通ブロック４３は、通信機ブロック４２およびＴＶブロック４１を含むシステム全体を制御するシステム制御部４３１を中心に、ユーザインターフェイス機能を提供する操作部４３３と、各種情報表示機能を担う表示器４３２と、近距離用データインターフェイス機能を実現するために設けられた赤外通信装置４３４とによって構成されている。
【００４７】
操作部４３３は、電源オン／オフを始め、携帯電話機能を実現するための一般的な操作ボタンや、ＴＶ機能の操作に必要な、選局や録画開始／停止／早送り／逆送り／一時停止等の操作ボタンに加え、番組内容のユーザ評価を入力するための操作ボタン（ＳＴＡＲＴ／ＥＮＤ）やＩＮＤＥＸ（マーカ）打ち込みボタン、編集機能の実現のための各種編集情報入力ボタンおよび操作ボタンを備えている。
【００４８】
表示器４３２としては、一般的な液晶表示素子や有機ＥＬ（electro luminescent）等の表示デバイスを用いることができる。表示器４３２へは、通信機ブロック４２によって実現される携帯電話機能に必要な、電話番号や電子メール情報等を基本にし、ＴＶブロック４１で用いる選局操作等の情報や映像情報も選択して（あるいは組み合わせて）供給される。
【００４９】
動画像映像情報は、ＭＰＥＧ−４デコーダ４１４から供給され、それ以外の文字データ等はシステム制御部４３１から、ビットマップデータあるいはベクタデータとして供給される。これらの情報を統合して、表示器４３２の画面上へ表示する。
【００５０】
赤外通信装置４３４は、本実施の形態では、ＩｒＤＡ（Infrared Data Association）のような、デジタルインターフェイス技術を用いて実現されている。なお、赤外通信に限らず、無線タグ方式等も利用することができる。
【００５１】
（据置型録画機１の構成）
図４は、固定（家庭）使用のための据置型録画機１の構成を示すブロック図である。
【００５２】
同図に示すように、据置型録画機１は、高画質な放送波に対応可能なマルチ・セグメント系処理ブロック１１と、簡易動画をモバイル系端末によって移動しながら視聴可能な１セグメント系の情報を処理する１セグメント系処理ブロック１２と、両ブロック１１および１２に共通のシステム制御を行うとともに、ユーザインターフェイスを提供し、さらに各種の通信関係の制御・通信を行う制御・通信系処理ブロック１３とによって構成されている。
【００５３】
まず、マルチ・セグメント系処理ブロック１１について説明する。
【００５４】
１２セグメントのＨＤ−ＴＶ用放送波がアンテナ２ｂで受信されると、このＨＤ−ＴＶ用放送波から、チューナ１１１によって所望の選局された番組情報が抽出され、復調器１１２によってデータストリームが生成される。このデータ列には、映像および音声の他、データ放送に関する情報やシステム制御関係の情報も含まれており、その内容は、データＩＤやフラグ等の参考情報を用いて識別される。識別の結果、映像および音声であればＭＰＥＧ−２デコーダ１１３に供給され、その他の情報であればシステム制御部１３１に供給される。
【００５５】
記録再生部１１４は、復調器１１２によって生成されたＭＰＥＧ−２データストリームを、システム制御部１３１からの指示に応じて、記録再生部１１４の本体に内蔵されたＨＤＤ等の記録媒体へ記録する。なお、記録媒体としては、固定式記録媒体であるＨＤＤの他に、光ディスク（ＤＶＤ±ＲやＤＶＤ−ＲＡＭ）等の交換可能な記録媒体７を利用することができる。
【００５６】
次に、１セグメント系処理ブロック１２について説明する。
【００５７】
１セグメントの放送波がアンテナ２ａで受信されると、この放送波から、チューナ１２１によって所望の選局された番組情報が抽出され、復調器１２２によってデータストリームが生成される。このデータ列には、映像および音声の他、データ放送に関する情報やシステム制御関係の情報も含まれており、その内容は、データＩＤやフラグ等の参考情報を用いて識別される。識別の結果、映像および音声であれば記録部１２３に供給され、その他の情報であればシステム制御部１３１に供給される。
【００５８】
記録部１２３は、復調器１２２によって生成されたＭＰＥＧ−４データストリームを、システム制御部１３１からの指示に応じて、記録部１２３の本体に設けられたメモリカードスロットに挿入された、交換可能な半導体型記録媒体（メモリカード等）６へ記録する。記録媒体としては、半導体型記録媒体の他に、光ディスク（ＤＶＤ±ＲやＤＶＤ−ＲＡＭ）等のディスク形状の記録媒体等も利用することができる。
【００５９】
次に、制御・通信系処理ブロック１３について説明する。
【００６０】
制御・通信系処理ブロック１３は、前記２つのブロック１１および１２を含むシステム全体を制御するシステム制御部１３１を中心に、ユーザインターフェイス機能を提供する操作部１３２と、各種情報表示機能を担う大型表示器８と、近距離用データインターフェイス機能を実現するために設けられた赤外通信装置１３３と、インターネット等のネットワーク回線１４００に接続され、遠距離用データインターフェイス機能を実現するネットワーク端末３と、赤外通信装置１３３およびネットワーク端末３を統合・管理する通信インターフェイス１３４とによって構成されている。
【００６１】
なお、大型表示器８は、いわゆるテレビモニタとして、据置型録画機１と別体で構成してもよい。
【００６２】
操作部１３２は、据置録画機能を実現するために必要な、電源オン／オフ、ＴＶ機能の操作・選局を始め、録画開始／停止／早送り／逆送り／一時停止／インデックスサーチ（前／後）等の一般的な操作ボタン、および本発明の特徴を実現するための操作用のボタン等を備えている。
【００６３】
大型表示器８上には、制御・通信系ブロック１３で用いる選局操作等の情報や映像情報も選択的に（あるいは組み合わせて）表示することができる。動画像映像情報は、ＭＰＥＧ−２デコーダ１１３から供給され、それ以外の文字データ等はシステム制御部１３１から、ビットマップデータあるいはベクタデータとして供給される。これらの情報を統合して、大型表示器８の画面上に表示される。
【００６４】
また、赤外通信装置１３３は、一般的な赤外線リモコン機能と、ＩｒＤＡ等のデジタルインターフェイス機能とを兼ね備えた装置として構成されている。
【００６５】
図５は、本実施の形態の放送番組視聴・記録・再生システムが実行する、帰宅時の連動録画およびリレー再生処理を視覚的に示した図である。
【００６６】
手順Ａ１：携帯機器４は、放送番組視聴（録画）中に、操作部４３３に含まれる電源スイッチがオフ操作されたかどうかを判断する。
【００６７】
手順Ａ２：電源スイッチがオフ操作されると、携帯機器４は、携帯電話中継局１１００、データサーバ１２００、ネットワーク端末１３００、ネットワーク回線１４００およびネットワーク端末３を介して、据置型録画機１に視聴中の放送番組の録画開始指示を通知する。
【００６８】
手順Ａ３：この録画開始指示を受信すると、据置型録画機１は、指示された内容に基づいて放送番組の録画を開始する。
【００６９】
手順Ａ４：携帯機器４は、電源スイッチがオフ操作された結果、携帯機器４での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する。
【００７０】
手順Ａ５：据置型録画機１は、操作部１３２に含まれる電源スイッチがオン操作されると、通知された栞情報に基づいて、録画した放送番組中、視聴を打ち切った場所から続きをリレー再生する。
【００７１】
なお、手順Ａ１において、携帯機器４が視聴中の放送番組を打ち切って携帯機器４の電源を切るタイミングは、据置型録画機１から録画開始の返信通知が携帯機器４に届いたタイミングにしても良い。
【００７２】
また、手順Ａ２において、携帯機器４が録画開始指示を通知した後も、据置型録画機１の録画実行とともに携帯機器４でも同時に録画するようにしても良い。この場合、携帯機器４の電池残量が多ければ携帯機器４での録画を実行し、携帯機器４の電池残量が少なければ携帯機器４での録画を打ち切るようにしても良い。さらに、録画開始指示を通知した後も録画を継続するか打ち切るかを、たとえばメニュー設定でユーザが設定できるようにしても良い。
【００７３】
また、手順Ａ５において、据置型録画機１は、電源スイッチがオン操作されると、通知された栞情報に基づいて、録画した放送番組から続きをリレー再生するか否かをユーザが選択できるようにしても良い。
【００７４】
図６は、本実施の形態の放送番組視聴・記録・再生システムが実行する、出勤時の連動録画およびリレー再生処理を視覚的に示す図である。
【００７５】
手順Ｂ１：据置型録画機１は、放送番組視聴（録画）中に、操作部１３２に含まれる電源スイッチがオフ操作されたかどうかを判断する。
【００７６】
手順Ｂ２：電源スイッチがオフ操作されると、据置型録画機１は、ネットワーク端末３、ネットワーク回線１４００、ネットワーク端末１３００、データサーバ１２００および携帯電話中継局１１００を介して、携帯機器４に視聴中の放送番組の録画開始指示を通知する。
【００７７】
手順Ｂ３：この録画開始指示を受信すると、携帯機器４は、指示された内容に基づいて放送番組の録画を開始する。
【００７８】
手順Ｂ４：据置型録画機１は、電源スイッチがオフ操作された結果、据置型録画機１での放送番組の視聴を打ち切る場所を示す栞情報を、ネットワーク端末３、ネットワーク回線１４００、ネットワーク端末１３００、データサーバ１２００および携帯電話中継局１１００を介して、携帯機器４に通知する。
【００７９】
手順Ｂ５：携帯機器４は、操作部４３３に含まれる電源スイッチがオン操作されると、通知された栞情報に基づいて、録画した放送番組中、視聴を打ち切った場所から続きをリレー再生する。
【００８０】
なお、手順Ｂ１において、据置型録画機１が視聴中の放送番組を打ち切って据置型録画機１の電源を切るタイミングは、携帯機器４から録画開始の返信通知が据置型録画機１に届いたタイミングにしても良い。
【００８１】
また、手順Ｂ２において、据置型録画機１が録画開始指示を通知した後も、携帯機器４の録画実行とともに据置機器４でも同時に録画するようにしても良い。さらに、録画開始指示を通知した後も録画を継続するか打ち切るかを、たとえばメニュー設定でユーザが設定できるようにしても良い。
【００８２】
また、手順Ｂ５において、携帯機器４は、電源スイッチがオン操作されると、通知された栞情報に基づいて、録画した放送番組から続きをリレー再生するか否かをユーザが選択できるようにしても良い。
【００８３】
図７は、本実施の形態の放送番組視聴・記録・再生システムが実行する、帰宅時の連動録画およびリレー再生処理の手順を示すフローチャートである。
【００８４】
同図中、右側に携帯機器４の処理手順を示し、左側に据置型録画機１の処理手順を示す。
【００８５】
（携帯機器４の処理手順）
システム制御部４３１は、操作部４３３に含まれる電源スイッチの状態を判断する（ステップＳ２００１）。
【００８６】
電源スイッチがオン操作されると、システム制御部４３１は、不図示の電源装置により携帯機器４の電源をオン状態に設定して動作状態に移行させる（ステップＳ２００２）。
【００８７】
システム制御部４３１は、操作部４３３によってＴＶモードが設定されているかどうかを判断する（ステップＳ２００３）。
【００８８】
ＴＶモードが設定されていると、システム制御部４３１は、ＴＶブロック４１の機能を用いて、表示器４３２上に放送番組を表示する。これにより、ユーザは放送番組の視聴（録画）を開始する（ステップＳ２００４）。
【００８９】
次に、システム制御部４３１は、放送番組視聴（録画）中に、操作部４３３に含まれる電源スイッチがオフ操作されたかどうかを判断する（ステップＳ２００５；図５の手順Ａ１）。
【００９０】
電源スイッチがオフ操作されると、システム制御部４３１は、携帯電話中継局１１００、データサーバ１２００、ネットワーク端末１３００、ネットワーク回線１４００およびネットワーク端末３を介して、据置型録画機１に録画開始指示を通知する（ステップＳ２００６；図５の手順Ａ２）。
【００９１】
システム制御部４３１は、据置型録画機１から録画開始通知を受信したかどうかを判断する（ステップＳ２００７）。
【００９２】
録画開始通知を受信すると、システム制御部４３１は、電源スイッチがオフ操作された結果、携帯機器４での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する（ステップＳ２００８；図５の手順Ａ４）。
【００９３】
栞情報の通知を終えると、システム制御部４３１は、前記電源装置により携帯機器４の電源をオフ状態に設定して省電力状態に移行させる（ステップＳ２００９）。
【００９４】
（据置型録画機１の処理手順）
システム制御部１３１は、携帯機器４から録画開始指示を受信したかどうかを判断する（ステップＳ１００１）。
【００９５】
録画開始指示を受信すると、システム制御部１３１は、指示された内容に基づいて放送番組の録画を開始する（ステップＳ１００２；図５の手順Ａ３）。
【００９６】
録画開始すると、システム制御部１３１は、携帯機器４に録画開始通知を送信する（ステップＳ１００３）。
【００９７】
そして、システム制御部１３１は、前記栞情報を受信したかどうかを判断し、栞情報を受信すると、その栞情報をシステム制御部１３１の内部メモリあるいは外部記憶装置（図示せず）に格納する（ステップＳ１００４）。
【００９８】
さらに、システム制御部１３１は、操作部１３２に含まれる電源スイッチがオン操作されたかどうかを判断する（ステップＳ１００５）。
【００９９】
電源スイッチがオン操作されると、システム制御部１３１は、通知された栞情報に基づいて、録画した放送番組から続きをリレー再生する（ステップＳ１００６；図５の手順Ａ５）。
【０１００】
図８は、本実施の形態の放送番組視聴・記録・再生システムが実行する、出勤時の連動録画およびリレー再生処理の手順を示すフローチャートである。
【０１０１】
同図中、右側に携帯機器４の処理手順を示し、左側に据置型録画機１の処理手順を示す。
【０１０２】
（据置型録画機１の処理手順）
システム制御部１３１は、操作部１３２に含まれる電源スイッチの状態を判断する（ステップＳ１１０１）。
【０１０３】
電源スイッチがオン操作されると、システム制御部１３１は、不図示の電源装置により据置型録画機１の電源をオン状態に設定して動作状態に移行させ（ステップＳ１１０２）、据置型録画機１の前記ＴＶ視聴機能を用いて放送番組の視聴（録画）を開始する（ステップＳ１１０３）。
【０１０４】
システム制御部１３１は、放送番組視聴（録画）中に、操作部１３２に含まれる電源スイッチがオフ操作されたかどうかを判断する（ステップＳ１１０４；図６の手順Ｂ１）。
【０１０５】
電源スイッチがオフ操作されると、システム制御部１３１は、ネットワーク端末３、ネットワーク回線１４００、ネットワーク端末１３００、データサーバ１２００および携帯電話中継局１１００を介して、携帯機器４に録画開始指示を通知する（ステップＳ１１０５；図６の手順Ｂ２）。
【０１０６】
システム制御部１３１は、携帯機器４から録画開始通知を受信したかどうかを判断する（ステップＳ１１０６）。
【０１０７】
携帯機器４から録画開始通知を受信すると、システム制御部１３１は、電源スイッチがオフ操作された結果、据置型録画機１での放送番組の視聴を打ち切る場所を示す栞情報を、ネットワーク端末３、ネットワーク回線１４００、ネットワーク端末１３００、データサーバ１２００および携帯電話中継局１１００を介して、携帯機器４に通知する（ステップＳ１１０７；図６の手順Ｂ４）。
【０１０８】
栞情報の通知を終えると、システム制御部１３１は、前記電源装置により据置型録画機１の電源をオフ状態に設定して省電力状態に移行させる（ステップＳ１１０８）。
【０１０９】
（携帯機器４の処理手順）
システム制御部４３１は、据置型録画機１から録画開始指示を受信したかどうかを判断する（ステップＳ２１０１）。
【０１１０】
録画開始指示を受信すると、システム制御部４３１は、指示された内容に基づいて放送番組の録画を開始する（ステップＳ２１０２；図６の手順Ｂ３）。
【０１１１】
録画開始すると、システム制御部４３１は、据置型録画機１に録画開始通知を送信する（ステップＳ２１０３）。
【０１１２】
システム制御部４３１は、前記栞情報を受信したかどうかを判断し、受信したときには、受信した栞情報をシステム制御部４３１の内部メモリあるいは外部記憶装置（図示せず）に格納する（ステップＳ２１０４）。
【０１１３】
システム制御部４３１は、操作部４３３に含まれる電源スイッチがオン操作されたかどうかを判断する（ステップＳ２１０５）。
【０１１４】
電源スイッチがオン操作されると、システム制御部４３１は、通知された栞情報に基づいて、録画した放送番組から続きをリレー再生する（ステップＳ２１０６；図６の手順Ｂ５）。
【０１１５】
このように、本実施の形態では、帰宅する際に、携帯機器で視聴していた放送番組を据置型録画機でも録画しておき、帰宅後、据置型録画機の電源をオンしたときに、録画した番組中、携帯機器で視聴を一時中断した場所から再生を開始するようにしたので、ユーザの手間を大幅に削減することができる。
【０１１６】
また、外出する際に、家庭で据置型録画機で視聴していた番組を携帯機器でも録画しておき、交通機関に乗車して、携帯機器の電源をオンしたときに、録画した番組中、据置型録画機で視聴を一時中断した場所から再生を開始するようにしたので、ユーザの手間を大幅に削減することができる。
【０１１７】
（第２の実施の形態）
次に、本発明の第２の実施の形態に係る放送番組視聴・記録・再生システムについて説明する。
【０１１８】
本実施の形態の放送番組視聴・記録・再生システムは、前記第１の実施の形態の放送番組視聴・記録・再生システムに対して、制御処理方法が異なるのみであるので、ハードウェアは、前記第１の実施の形態の放送番組視聴・記録・再生システムと同様のハードウェア、すなわち前記図１のハードウェアをそのまま用いることにする。
【０１１９】
図９は、本実施の形態の放送番組視聴・記録・再生システムが実行する、帰宅時の連動録画およびリレー再生処理を視覚的に示した図である。
【０１２０】
手順Ｃ１：携帯機器４は、操作部４３３に含まれる電源スイッチがオン操作されたかどうかを判断する。
【０１２１】
手順Ｃ２：電源スイッチがオン操作されると、携帯機器４は、表示器４３２上に放送番組を表示する。これにより、ユーザは放送番組の視聴を開始する。そして、携帯機器４は、携帯電話中継局１１００、データサーバ１２００、ネットワーク端末１３００、ネットワーク回線１４００およびネットワーク端末３を介して、据置型録画機１に録画開始指示を通知する。なお、携帯機器４は、放送番組の表示を開始するときに、メモリカード５に放送番組を録画するようにしても良い。
【０１２２】
手順Ｃ３：録画開始指示を受信すると、据置型録画機１は、指示された内容に基づいて放送番組の録画を開始する。
【０１２３】
手順Ｃ４：携帯機器４は、放送番組視聴（録画）中に、操作部４３３に含まれる電源スイッチがオフ操作されたかどうかを判断する。
【０１２４】
手順Ｃ５：携帯機器４は、電源スイッチがオフ操作された結果、携帯機器４での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する。
【０１２５】
手順Ｃ６：据置型録画機１は、操作部１３２に含まれる電源スイッチがオン操作されると、通知された栞情報に基づいて、録画した放送番組から続きをリレー再生する。
【０１２６】
なお、手順Ｃ２において、携帯機器４が録画開始指示を通知した後も、据置型録画機１の録画実行とともに携帯機器４でも同時に録画するようにしても良い。この場合、携帯機器４の電池残量が多ければ携帯機器４での録画を実行し、携帯機器４の電池残量が少なければ携帯機器４での録画を打ち切るようにしても良い。さらに、録画開始指示を通知した後も録画を継続するか打ち切るかを、たとえばメニュー設定でユーザが設定できるようにしても良い。
【０１２７】
また、手順Ｃ６において、据置型録画機１は、電源スイッチがオン操作されると、通知された栞情報に基づいて、録画した放送番組から続きをリレー再生するかどうかをユーザが選択できるようにしても良い。
【０１２８】
図１０は、本実施の形態の放送番組視聴・記録・再生システムが実行する、出勤時の連動録画およびリレー再生処理を視覚的に示す図である。
【０１２９】
手順Ｄ１：据置型録画機１は、操作部１３２に含まれる電源スイッチがオン操作されたかどうかを判断する。
【０１３０】
手順Ｄ２：電源スイッチがオン操作されると、据置型録画機１は、ネットワーク端末３、ネットワーク回線１４００、ネットワーク端末１３００、データサーバ１２００および携帯電話中継局１１００を介して、携帯機器４に録画開始指示を通知する。
【０１３１】
手順Ｄ３：録画開始指示を受信すると、携帯機器４は、指示された内容に基づいて放送番組の録画を開始する。
【０１３２】
手順Ｄ４：据置型録画機１は、放送番組視聴（録画）中に、操作部１３２に含まれる電源スイッチがオフ操作されたかどうかを判断する。
【０１３３】
手順Ｄ５：据置型録画機１は、電源スイッチがオフ操作された結果、据置型録画機１での放送番組の視聴を打ち切る場所を示す栞情報を、ネットワーク端末３、ネットワーク回線１４００、ネットワーク端末１３００、データサーバ１２００および携帯電話中継局１１００を介して、携帯機器４に通知する。
【０１３４】
手順Ｄ６：携帯機器４は、操作部４３３に含まれる電源スイッチがオン操作されると、通知された栞情報に基づいて、録画した放送番組から続きをリレー再生する。
【０１３５】
なお、手順Ｄ２において、据置型録画機１が録画開始指示を通知した後も、携帯機器４の録画実行とともに据置機器４でも同時に録画するようにしても良い。さらに、録画開始指示を通知した後も録画を継続するか打ち切るかを、たとえばメニュー設定でユーザが設定できるようにしても良い。
【０１３６】
また、手順Ｄ６において、携帯機器４は、電源スイッチがオン操作されると、通知された栞情報に基づいて、録画した放送番組から続きをリレー再生するか否かをユーザが選択できるようにしても良い。
【０１３７】
図１１は、本実施の形態の放送番組視聴・記録・再生システムが実行する、帰宅時の自動録画および自動再生の処理手順を示すフローチャートである。
【０１３８】
同図中、右側に携帯機器４の処理手順を示し、左側に据置型録画機１の処理手順を示す。
【０１３９】
（携帯機器４の処理手順）
システム制御部４３１は、操作部４３３に含まれる電源スイッチの状態を判断する（ステップＳ２２０１；図９の手順Ｃ１）。
【０１４０】
電源スイッチがオン操作されると、システム制御部４３１は、不図示の電源装置により携帯機器４の電源をオン状態に設定して動作状態に移行させる（ステップＳ２２０２）。
【０１４１】
システム制御部４３１は、操作部４３３によりＴＶモードが設定されているかどうかを判断する（ステップＳ２２０３）。
【０１４２】
ＴＶモードが設定されていると、システム制御部４３１は、ＴＶブロック４１の機能を用いて、表示器４３２上に放送番組を表示するとともに、録画を開始する。これにより、ユーザは、放送番組の視聴を開始する（ステップＳ２２０４，Ｓ２２０５）。
【０１４３】
システム制御部４３１は、携帯電話中継局１１００、データサーバ１２００、ネットワーク端末１３００、ネットワーク回線１４００およびネットワーク端末３を介して、据置型録画機１に録画開始指示を通知する（ステップＳ２２０６；図９の手順Ｃ２）。
【０１４４】
システム制御部４３１は、据置型録画機１から録画開始通知を受信したかどうかを判断する（ステップＳ２２０７）。
【０１４５】
録画開始指示を受信すると、システム制御部４３１は、放送番組視聴（録画）中に、操作部４３３に含まれる電源スイッチがオフ操作されたかどうかを判断する（ステップＳ２２０８；図９の手順Ｃ４）。
【０１４６】
電源スイッチがオフ操作されると、システム制御部４３１は、電源スイッチがオフ操作された結果、携帯機器４での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する（ステップＳ２２０９；図９の手順Ｃ５）。
【０１４７】
栞情報の通知を終えると、システム制御部４３１は、前記電源装置により携帯機器４の電源をオフ状態に設定して省電力状態に移行させる（ステップＳ２２１０）。
【０１４８】
（据置型録画機１の処理手順）
システム制御部１３１は、携帯機器４から録画開始指示を受信したかどうかを判断する（ステップＳ１２０１）。
【０１４９】
録画開始指示を受信すると、システム制御部１３１は、指示された内容に基づいて放送番組の録画を開始する（ステップＳ１２０２；図９の手順Ｃ３）。
【０１５０】
録画を開始すると、システム制御部１３１は、携帯機器４に録画開始通知を送信する（ステップＳ１２０３）。
【０１５１】
システム制御部１３１は、前記栞情報を受信したかどうかを判断し、受信すると、受信した栞情報をシステム制御部１３１の内部メモリあるいは外部記憶装置（図示せず）に格納する（ステップＳ１２０４）。
【０１５２】
システム制御部１３１は、操作部１３２に含まれる電源スイッチがオンになると（ステップＳ１２０５）、通知された栞情報に基づいて、録画した放送番組の続きをリレー再生する（ステップＳ１２０６；図９の手順Ｃ６）。
【０１５３】
図１２は、本実施の形態の放送番組視聴・記録・再生システムが実行する、出勤時の連動録画およびリレー再生処理の手順を示すフローチャートである。
【０１５４】
同図中、右側に携帯機器４の処理手順を示し、左側に据置型録画機１の処理手順を示す。
【０１５５】
（据置型録画機１の処理手順）
システム制御部１３１は、操作部１３２に含まれる電源スイッチの状態を判断する（ステップＳ１３０１；図１０の手順Ｄ１）。
【０１５６】
電源スイッチがオン操作されると、システム制御部１３１は、不図示の電源装置により据置型録画機１の電源をオン状態に設定して動作状態に移行させ（ステップＳ１３０２）、据置型録画機１の前記ＴＶ視聴機能を用いて放送番組の視聴および録画を開始する（ステップＳ１３０３，Ｓ１３０４）。
【０１５７】
システム制御部１３１は、ネットワーク端末３、ネットワーク回線１４００、ネットワーク端末１３００、データサーバ１２００および携帯電話中継局１１００を介して、携帯機器４に録画開始指示を通知する（ステップＳ１３０５；図１０の手順Ｄ２）。
【０１５８】
システム制御部１３１は、携帯機器４から録画開始通知を受信したかどうかを判断する（ステップＳ１３０６）。
【０１５９】
携帯機器４から録画開始通知を受信すると（ステップＳ１３０６）、システム制御部１３１は、放送番組視聴（録画）中に、操作部１３２に含まれる電源スイッチがオフ操作されたかどうかを判断する（ステップＳ１３０７；図１０の手順Ｄ４）。
【０１６０】
電源スイッチがオフ操作されると、システム制御部１３１は、電源スイッチがオフ操作された結果、据置型録画機１での放送番組の視聴を打ち切る場所を示す栞情報を、ネットワーク端末３、ネットワーク回線１４００、ネットワーク端末１３００、データサーバ１２００および携帯電話中継局１１００を介して、携帯機器４に通知する（ステップＳ１３０８；図１０の手順Ｄ５）。
【０１６１】
栞情報の通知を終えると、システム制御部１３１は、前記電源装置により据置型録画機１の電源をオフ状態に設定して省電力状態に移行させる（ステップＳ１３０９）。
【０１６２】
（携帯機器４の処理手順）
システム制御部４３１は、据置型録画機１から録画開始指示を受信したかどうかを判断する（ステップＳ２３０１）。
【０１６３】
録画開始指示を受信すると、システム制御部１３１は、指示された内容に基づいて放送番組の録画を開始する（ステップＳ２３０２；図１０の手順Ｄ３）。
【０１６４】
録画開始すると、システム制御部４３１は、据置型録画機１に録画開始通知を送信する（ステップＳ２３０３）。
【０１６５】
システム制御部１３１は、前記栞情報を受信したかどうかを判断し、受信すると、受信した栞情報をシステム制御部４３１の内部メモリあるいは外部記憶装置（図示せず）に格納する（ステップＳ２３０４）。
【０１６６】
システム制御部４３１は、操作部４３３に含まれる電源スイッチがオン操作されたかどうかを判断する（ステップＳ２３０５）。
【０１６７】
電源スイッチがオン操作されると、システム制御部４３１は、通知された栞情報に基づいて、録画した放送番組から続きをリレー再生する（ステップＳ２３０６；図１０の手順Ｄ６）。
【０１６８】
このように、本実施の形態では、携帯機器で放送番組の視聴を開始すると同時に、その放送番組を据置型録画機でも録画しておき、たとえば帰宅後、据置型録画機の電源をオンしたときに、録画した番組中、携帯機器で視聴を一時中断した場所から再生を開始するようにしたので、ユーザの手間を大幅に削減することができる。
【０１６９】
また、家庭で据置型録画機で放送番組の視聴を開始すると同時に、その放送番組を携帯機器でも録画しておき、たとえば交通機関に乗車して、携帯機器の電源をオンしたときに、録画した番組中、据置型録画機で視聴を一時中断した場所から再生を開始するようにしたので、ユーザの手間を大幅に削減することができる。
【０１７０】
（第３の実施の形態）
次に、本発明の第３の実施の形態に係る放送番組視聴・記録・再生システムについて説明する。
【０１７１】
本実施の形態の放送番組視聴・記録・再生システムは、前記第１の実施の形態の放送番組視聴・記録・再生システムに対して、携帯機器の一部構成が異なるのみであるので、システム全体のハードウェアは、前記第１の実施の形態の放送番組視聴・記録・再生システムと同様のハードウェア、すなわち前記図１のハードウェアをそのまま用いることにする。
【０１７２】
図１３は、携帯機器４′の構成を示すブロック図であり、前記第１の実施の形態における図３の携帯機器４の構成に電源装置４３５を追加したものである。なお、図１３中、図３と同様の構成には同一符号を付し、その説明を省略する。
【０１７３】
電源装置４３５は、電源制御部と電源部から構成されている。
【０１７４】
電源制御部は、電池検出回路、ＤＣ−ＤＣコンバータ、通電するブロックを切り替えるスイッチ回路により構成されており、電池の装着の有無、電池の種類、電池残量の検出を行い、検出結果およびシステム制御部４３１の指示に基づいてＤＣ−ＤＣコンバータを制御し、必要な電圧を必要な期間、記録媒体を含む各部へ供給する。
【０１７５】
電源部は、アルカリ電池やリチウム電池等の一次電池や、NiCd電池やNiMH電池、Li-ion電池等の二次電池、ＡＣアダプタ等から構成されている。
【０１７６】
図１４は、本実施の形態の放送番組視聴・記録・再生システムが実行する、バッテリの残量低下時の自動録画処理を視覚的に示した図である。
【０１７７】
なお、ここでのバッテリとは、携帯機器４′の電源装置４３５の電源部に相当するものを示している。
【０１７８】
手順Ｅ１：携帯機器４′は、放送番組視聴（録画）中に、電源装置４３５に含まれるバッテリの残量レベルを調べ、バッテリ残量が低下した状態（ＷＥＡＫレベル状態）になっているかどうかを判断する。
【０１７９】
手順Ｅ２：バッテリ残量が低下した状態になっていると、携帯機器４′は、携帯電話中継局１１００、データサーバ１２００、ネットワーク端末１３００、ネットワーク回線１４００およびネットワーク端末３を介して、据置型録画機１に録画開始指示を通知する。
【０１８０】
手順Ｅ３：録画開始指示を受信すると、据置型録画機１は、指示された内容に基づいて放送番組の録画を開始する。
【０１８１】
手順Ｅ４：据置型録画機１は、ネットワーク端末３、ネットワーク回線１４００、ネットワーク端末１３００、データサーバ１２００および携帯電話中継局１１００を介して、携帯機器４′に、据置型録画機１での録画開始状況を通知する。
【０１８２】
手順Ｅ５：携帯機器４′は、通知された据置型録画機１での録画開始状況を表示器４３２上に表示する。
【０１８３】
図１５は、本実施の形態の放送番組視聴・記録・再生システムが実行する、バッテリの残量低下時の自動録画処理の手順を示すフローチャートである。
【０１８４】
同図中、右側に携帯機器４′の処理手順を示し、左側に据置型録画機１の処理手順を示す。
【０１８５】
（携帯機器４′の処理手順）
システム制御部４３１は、操作部４３３に含まれる電源スイッチの状態を判断する（ステップＳ２００１）。
【０１８６】
電源スイッチがオン操作されると、システム制御部４３１は、電源装置４３５により携帯機器４′の電源をオン状態に設定して動作状態に移行させる（ステップＳ２００２）。
【０１８７】
システム制御部４３１は、操作部４３３によりＴＶモードが設定されているかどうかを判断する（ステップＳ２００３）。
【０１８８】
ＴＶモードが設定されていると、システム制御部４３１は、ＴＶブロック４１の機能を用いて、表示器４３２上に放送番組を表示する。これにより、ユーザは、放送番組の視聴（録画）を開始する（ステップＳ２００４）。
【０１８９】
システム制御部４３１は、放送番組視聴（録画）中に、電源装置４３５に含まれるバッテリの残量レベルを調べ、バッテリ残量が低下した状態（ＷＥＡＫレベル状態）になっているかどうかを判断する（ステップＳ２００５；図１４の手順Ｅ１）。
【０１９０】
バッテリ残量が低下した状態になっていると、システム制御部４３１は、携帯電話中継局１１００、データサーバ１２００、ネットワーク端末１３００、ネットワーク回線１４００およびネットワーク端末３を介して、据置型録画機１に録画開始指示を通知する（ステップＳ２００６；図１４の手順Ｅ２）。
【０１９１】
次に、システム制御部４３１は、据置型録画機１から録画開始通知を受信したかどうかを判断する（ステップＳ２００７）。
【０１９２】
録画開始通知を受信すると、システム制御部４３１は、受信された据置型録画機１での録画開始状況を表示器４３２上に表示する（ステップＳ２００８；図１４の手順Ｅ５）。
【０１９３】
（据置型録画機１の処理手順）
システム制御部１３１は、携帯機器４′から録画開始指示を受信したかどうかを判断する（ステップＳ１００１）。
【０１９４】
録画開始指示を受信すると、システム制御部１３１は、指示された内容に基づいて放送番組の録画を開始する（ステップＳ１００２；図１４の手順Ｅ３）。
【０１９５】
録画を開始すると、システム制御部１３１は、携帯機器４′に録画開始通知を送信する（ステップＳ１００３；図１４の手順Ｅ４）。
【０１９６】
このように、本実施の形態では、携帯機器で放送番組を視聴中に、携帯機器のバッテリ残量が低下すると、携帯機器で視聴している放送番組を据置型録画機でも録画するようにしたので、バッテリ残量がなくなり、携帯機器で放送番組を視聴できなくなったとしても、その続きを据置型録画機で視聴でき、これにより、放送番組を見逃がすことがなくなる。
【０１９７】
（第４の実施の形態）
次に、本発明の第４の実施の形態に係る放送番組視聴・記録・再生システムについて説明する。
【０１９８】
本実施の形態の放送番組視聴・記録・再生システムは、前記第３の実施の形態の放送番組視聴・記録・再生システムに対して、制御処理方法が異なるのみであるので、ハードウェアは、前記第４の実施の形態の放送番組視聴・記録・再生システムと同様のハードウェアをそのまま用いることにする。
【０１９９】
図１６は、本実施の形態の放送番組視聴・記録・再生システムが実行する、バッテリの残量低下時の自動録画および自動再生処理を視覚的に示した図である。
【０２００】
手順Ｆ１：携帯機器４′は、放送番組視聴（録画）中に、電源装置４３５に含まれるバッテリの残量レベルを調べ、バッテリ残量が低下した状態（ＷＥＡＫレベル状態）になっているかどうかを判断する。
【０２０１】
手順Ｆ２：バッテリ残量が低下した状態になっていると、携帯機器４′は、表示器４３２上に放送番組を表示する。これにより、ユーザは、放送番組の視聴を開始する。そして、携帯機器４′は、携帯電話中継局１１００、データサーバ１２００、ネットワーク端末１３００、ネットワーク回線１４００およびネットワーク端末３を介して、据置型録画機１に録画開始指示を通知する。
【０２０２】
手順Ｆ３：録画開始指示を受信すると、据置型録画機１は、指示された内容に基づいて放送番組の録画を開始する。
【０２０３】
手順Ｆ４：携帯機器４′は、放送番組視聴（録画）中に、電源装置４３５に含まれるバッテリの残量レベルを調べ、バッテリ残量が残り少ない状態（ＬｏｗＢａｔｔｅｒｙレベル状態）になっているかどうかを判断する。
【０２０４】
手順Ｆ５：携帯機器４′は、バッテリ残量が残り少ない状態になった結果、表示器４３２上にバッテリ交換あるいはバッテリ充電を促す表示を行なう。
【０２０５】
手順Ｆ６：携帯機器４′は、バッテリ残量が残り少ない状態になった結果、携帯機器４′での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する。
【０２０６】
手順Ｆ７：システム制御部４３１は、電源装置４３５により携帯機器４′の電源をオフ状態に設定して省電力状態に移行させる。
【０２０７】
手順Ｆ８：据置型録画機１は、操作部１３２に含まれる電源スイッチがオン操作されると、通知された栞情報に基づいて、録画した放送番組から続きをリレー再生する。
【０２０８】
なお、手順Ｆ８において、据置型録画機１は、電源スイッチがオン操作されると、通知された栞情報に基づいて、録画した放送番組から続きをリレー再生するか否かをユーザが選択できるようにしても良い。
【０２０９】
図１７は、本実施の形態の放送番組視聴・記録・再生システムが実行する、バッテリ低下時の自動録画および自動再生処理の手順を示すフローチャートである。
【０２１０】
同図中、右側に携帯機器４′の処理手順を示し、左側に据置型録画機１の処理手順を示す。
【０２１１】
（携帯機器４′の処理手順）
システム制御部４３１は、操作部４３３に含まれる電源スイッチの状態を判断する（ステップＳ２５０１）。
【０２１２】
電源スイッチがオン操作されると、システム制御部４３１は、電源装置４３５により携帯機器４′の電源をオン状態に設定して動作状態に移行させる（ステップＳ２５０２）。
【０２１３】
システム制御部４３１は、操作部４３３によりＴＶモードが設定されているかどうかを判断する（ステップＳ２５０３）。
【０２１４】
ＴＶモードが設定されていると、システム制御部４３１は、ＴＶブロック４１の機能を用いて、表示器４３２上に放送番組を表示する。これにより、ユーザは、放送番組の視聴を開始する（ステップＳ２５０４）。
【０２１５】
システム制御部４３１は、放送番組視聴（録画）中に、電源装置４３５に含まれるバッテリの残量レベルを調べ、バッテリ残量が低下した状態（ＷＥＡＫレベル状態）になっているかどうかを判断する（ステップＳ２５０５；図１６の手順Ｆ１）。
【０２１６】
バッテリ残量が低下した状態になっていると、システム制御部４３１は、携帯電話中継局１１００、データサーバ１２００、ネットワーク端末１３００、ネットワーク回線１４００およびネットワーク端末３を介して、据置型録画機１に録画開始指示を通知する（ステップＳ２５０６；図１６の手順Ｆ２）。
【０２１７】
システム制御部４３１は、据置型録画機１から録画開始通知を受信したかどうかを判断する（ステップＳ２５０７）。
【０２１８】
録画開始通知を受信すると、システム制御部４３１は、受信された据置型録画機１での録画開始状況を表示器４３２上に表示する（ステップＳ２５０８）。
【０２１９】
システム制御部４３１は、放送番組視聴（録画）中に、電源装置４３５に含まれるバッテリの残量レベルを調べ、バッテリ残量が残り少ない状態（ＬｏｗＢａｔｔｅｒｙレベル状態）になっているかどうかを判断する（ステップＳ２５０９；図１６の手順Ｆ４）。
【０２２０】
バッテリ残量が残り少ない状態になっていると、システム制御部４３１は、表示器４３２上にバッテリ交換あるいはバッテリ充電を促す表示を行なう（ステップＳ２５１０；図１６の手順Ｆ５）。
【０２２１】
システム制御部４３１は、バッテリ残量が残り少ない状態になった結果、携帯機器４′での放送番組の視聴を打ち切る場所を示す栞情報を、携帯電話中継局１１００、データサーバ１２００、ネットワーク端末１３００、ネットワーク回線１４００およびネットワーク端末３を介して、据置型録画機１に通知する（ステップＳ２５１１；図１６の手順Ｆ６）。
【０２２２】
栞情報の通知を終えると、システム制御部４３１は、電源装置４３５により携帯機器４′の電源をオフ状態に設定して省電力状態に移行させる（ステップＳ２５１２；図１６の手順Ｆ７）。
【０２２３】
（据置型録画機１の処理手順）
システム制御部１３１は、携帯機器４′から録画開始指示を受信したかどうかを判断する（ステップＳ１５０１）。
【０２２４】
録画開始指示を受信すると、システム制御部１３１は、指示された内容に基づいて放送番組の録画を開始する（ステップＳ１５０２；図１６の手順Ｆ３）。
【０２２５】
録画を開始すると、システム制御部１３１は、携帯機器４′に録画開始通知を送信する（ステップＳ１５０３）。
【０２２６】
システム制御部４３１は、前記栞情報を受信したかどうかを判断し、受信すると、受信した栞情報をシステム制御部１３１の内部メモリあるいは外部記憶装置（図示せず）に格納する（ステップＳ１５０４）。
【０２２７】
システム制御部１３１は、操作部１３２に含まれる電源スイッチがオン操作されたかどうかを判断する（ステップＳ１５０５）。
【０２２８】
電源スイッチがオン操作されると、システム制御部４３１は、通知された栞情報に基づいて、録画した放送番組から続きをリレー再生する（ステップＳ１５０６；図１６の手順Ｆ８）。
【０２２９】
このように、本実施の形態では、携帯機器で放送番組を視聴中に、携帯機器のバッテリ残量が低下すると、携帯機器で視聴している放送番組を据置型録画機でも録画するようにし、バッテリ残量がなくなって、携帯機器で放送番組の視聴を一時中断して帰宅した後、据置型録画機の電源をオンしたときに、録画した番組中、携帯機器で視聴を一時中断した場所から再生を開始するようにしたので、放送番組を見逃がすことがなくなるとともに、ユーザの手間を大幅に削減することができる。
【０２３０】
なお、前記第１〜第４の実施の形態では、地上波デジタルテレビ放送を例に挙げて説明してきたが、本発明は、衛星放送にも適用でき、また、テレビ（映像）情報に限らず、デジタルラジオ放送等の音声情報、たとえば高音質の３セグメント放送と携帯機器用の１セグメント放送との関係にも、同様に適用できる。
【０２３１】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０２３２】
この場合、記憶媒体から読出されたプログラムコード自体が本発明の新規な機能を実現することになり、そのプログラムコードを記憶した記憶媒体は本発明を構成することになる。
【０２３３】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【０２３４】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【０２３５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【図面の簡単な説明】
【０２３６】
【図１】本発明の第１の実施の形態に係る放送番組視聴・記録・再生システムのシステム構成を示す図である。
【図２】番組放送システムのシステム構成を示す図である。
【図３】図１中の携帯機器の構成を示すブロック図である。
【図４】図１中の据置型録画機の構成を示すブロック図である。
【図５】図１の放送番組視聴・記録・再生システムが実行する、帰宅時の連動録画およびリレー再生処理を視覚的に示した図である。
【図６】図１の放送番組視聴・記録・再生システムが実行する、出勤時の連動録画およびリレー再生処理を視覚的に示す図である。
【図７】図１の放送番組視聴・記録・再生システムが実行する、帰宅時の連動録画およびリレー再生処理の手順を示すフローチャートである。
【図８】図１の放送番組視聴・記録・再生システムが実行する、出勤時の連動録画およびリレー再生処理の手順を示すフローチャートである。
【図９】本発明の第２の実施の形態に係る放送番組視聴・記録・再生システムが実行する、帰宅時の連動録画およびリレー再生処理を視覚的に示した図である。
【図１０】本発明の第２の実施の形態に係る放送番組視聴・記録・再生システムが実行する、出勤時の連動録画およびリレー再生処理を視覚的に示す図である。
【図１１】本発明の第２の実施の形態に係る放送番組視聴・記録・再生システムが実行する、帰宅時の自動録画および自動再生の処理手順を示すフローチャートである。
【図１２】本発明の第２の実施の形態に係る放送番組視聴・記録・再生システムが実行する、出勤時の連動録画およびリレー再生処理の手順を示すフローチャートである。
【図１３】本発明の第３の実施の形態に係る放送番組視聴・記録・再生システムに含まれる携帯機器の構成を示すブロック図である。
【図１４】本発明の第３の実施の形態に係る放送番組視聴・記録・再生システムが実行する、バッテリの残量低下時の自動録画処理を視覚的に示した図である。
【図１５】本発明の第３の実施の形態に係る放送番組視聴・記録・再生システムが実行する、バッテリの残量低下時の自動録画処理の手順を示すフローチャートである。
【図１６】本発明の第４の実施の形態に係る放送番組視聴・記録・再生システムが実行する、バッテリの残量低下時の自動録画および自動再生処理を視覚的に示した図である。
【図１７】本発明の第４の実施の形態に係る放送番組視聴・記録・再生システムが実行する、バッテリ低下時の自動録画および自動再生処理の手順を示すフローチャートである。
【符号の説明】
【０２３７】
１  据置型録画機
１１  マルチ・セグメント系処理ブロック
１１１  チューナ
１１２  復調器
１１３  ＭＰＥＧ−２デコーダ
１１４  記録再生部
１２  １セグメント系処理ブロック
１２１  チューナ
１２２  復調器
１２３  記録部
１３  制御・通信系処理ブロック
１３１  システム制御部
１３２  操作部
１３３  赤外通信装置
１３４  通信インターフェイス
２，２ａ，２ｂ  アンテナ
３，１３００  ネットワーク端末
４，４′  携帯機器
４１  ＴＶブロック
４１１  アンテナ
４１２  テレビチューナ
４１３  復調器
４１４  ＭＰＥＧ−４デコーダ
４２  通信機ブロック
４２１  アンテナ
４２２  送受信機
４２３  復変調器
４２４  音声用ＣＯＤＥＣ
４２５  マイク
４２６  マイクアンプ
４２７  スピーカ
４２８  音声信号増幅器
４３  共通ブロック
４３１  システム制御部
４３２  表示器
４３３  操作部
４３４  赤外通信装置
５  メモリカード
１０００  送信アンテナ
１１００  携帯電話中継局
１２００  データサーバ
１４００  ネットワーク回線
【図１】
2007013295.tif 000003
【図２】
2007013295.tif 000004
【図３】
2007013295.tif 000005
【図４】
2007013295.tif 000006
【図５】
2007013295.tif 000007
【図６】
2007013295.tif 000008
【図７】
2007013295.tif 000009
【図８】
2007013295.tif 000010
【図９】
2007013295.tif 000011
【図１０】
2007013295.tif 000012
【図１１】
2007013295.tif 000013
【図１２】
2007013295.tif 000014
【図１３】
2007013295.tif 000015
【図１４】
2007013295.tif 000016
【図１５】
2007013295.tif 000017
【図１６】
2007013295.tif 000018
【図１７】
2007013295.tif 000019